(57)【要約】【課題】表示領域の大画面化と操作性の向上を両立させるとともに、ユーザの操作と一体感があるユーザインタフェースを実現した携帯端末装置を提供することを目的とする。【解決手段】本発明にかかる携帯端末装置１００は、所定の通信先にデータを送信可能な通信部２１０と、データに基づく象徴画像を表示する表示部１１０と、表示部１１０に重畳されるタッチセンサ１３０ａと、タッチセンサ１３０ａにおける所定の摺動動作を検出して、通信部２１０にデータを送信させる制御部２００と、を備えることを特徴とする。【選択図】図７
2010257259.tif 000002
【特許請求の範囲】
【請求項１】
所定の通信先にデータを送信可能な通信部と、
前記データに基づく象徴画像を表示する表示部と、
前記表示部に重畳されるタッチセンサと、
前記タッチセンサにおける所定の摺動動作を検出して、前記通信部に前記データを送信させる制御部と、
を備えることを特徴とする携帯端末装置。
【請求項２】
前記所定の摺動動作とは、前記タッチセンサが前記象徴画像に重畳する領域での接触を検知した後、摺動が検知されると共に、該摺動が離間する際の該摺動の速度が所定速度以上であること、あるいは該タッチセンサの検知可能領域外まで該摺動が継続されたことを特徴とする請求項１に記載の携帯端末装置。
【請求項３】
前記制御部は、前記表示部において、前記摺動と連動して前記象徴画像の表示位置を移動させることを特徴とする請求項２に記載の携帯端末装置。
【請求項４】
前記制御部は、前記通信部に前記データを送信させる場合に、前記象徴画像を前記摺動の離間する際の方向に向かって前記表示部の画面外へと消失させることを特徴とする請求項２に記載の携帯端末装置。
【請求項５】
前記通信部は、赤外線通信を行う赤外線ポートを有し、
前記制御部は、前記通信部に前記データを送信させる場合に、前記象徴画像を前記赤外線ポートが配置された方向の画面外へと消失させることを特徴とする請求項２に記載の携帯端末装置。
【請求項６】
前記制御部は、前記摺動の離間する際の方向が前記赤外線ポートが配置された方向以外だった場合、前記象徴画像を該摺動の離間する際の方向に始動させた後、方向転換させて、該赤外線ポートが配置された方向の画面外へと消失させることを特徴とする請求項５に記載の携帯端末装置。
【請求項７】
前記表示部と前記赤外線ポートの相対的な位置関係を記憶したメモリをさらに備え、
前記通信部は、赤外線通信を行う赤外線ポートを有し、
前記制御部は、前記赤外線通信により前記データを送信させる場合に、予め前記所定の通信先とのネゴシエーション時に前記位置関係を交換して、自機および前記所定の通信先における前記位置関係に基づいて算出した方向に向かって、前記象徴画像を前記表示部の画面外へと消失させることを特徴とする請求項２に記載の携帯端末装置。
【請求項８】
前記制御部は、前記通信部に前記データを送信させる場合に、前記象徴画像を前記速度に基づき画面外へと消失させることを特徴とする請求項４から請求項７のいずれか１項に記載の携帯端末装置。
【請求項９】
前記制御部は、前記データに前記摺動の離間する際の方向または前記速度、若しくは前記象徴画像の少なくとも１つを包含した付加情報を添付し、前記通信部に送信させることを特徴とする請求項２に記載の携帯端末装置。
【請求項１０】
当該携帯端末装置の位置情報あるいは日時情報を取得する取得部をさらに備え、
前記制御部は、前記データの送信後に、前記表示部に前記位置情報あるいは前記日時情報を少なくとも１つを包含した消印画像を表示させることを特徴とする請求項１に記載の携帯端末装置。
【請求項１１】
前記制御部は、前記データに前記消印画像を包含した付加情報を添付し、前記通信部に送信させることを特徴とする請求項９に記載の携帯端末装置。
【請求項１２】
方向または速度の少なくとも１つと象徴画像を包含した付加情報が添付されたデータを所定の通信元から受信可能な通信部と、
前記データの受信をユーザに表示する表示部と、
前記受信に伴い前記付加情報を解析して、前記表示部に前記方向または前記速度に基づいて前記象徴画像の表示を行わせる制御部と、
を備えることを特徴とする携帯端末装置。
【発明の詳細な説明】
【技術分野】
【０００１】
本発明は携帯端末装置に関し、詳しくは、タッチセンサをデータ入力手段とする携帯端末装置に関する。
【背景技術】
【０００２】
近年、携帯電話やＰＨＳ（Personal Handy phone System）、ＰＤＡ（Personal Digital Assistant）などに代表される携帯端末装置は、小型化と軽量化に加えて高機能化が進行している。その結果、通話やメールといった通信関連の機能のみでなく、カメラ、音楽再生、テレビジョンなど、コンピュータに匹敵するほどの機能が取り込まれてきている。
【０００３】
このような高機能化に伴って、様々なアプリケーションを快適に使用するために、表示領域の大画面化の要請がある。しかし、小型化が進行している携帯端末装置において筐体の面積は制限される傾向にあるため、表示領域の大画面化を図れば、必然的に操作部に割り当てられる面積が減少してしまう。このため、同じ操作キーにいくつもの機能を兼用させたり、メニューの階層を深くしたりしなければならず、操作性の低下を招くこととなる。
【０００４】
そこで、特許文献１には、２つの画面（液晶ディスプレイ）を開閉可能に装備し、開くことによって２画面を連接および連動させることにより、表示面積の大型化と装置サイズの小型化を両立させた画像表示装置が開示されている。また、特許文献２には、画面（データ表示画面）と同じ面に第１のタッチセンサを有し、反対側の面に第２のタッチセンサを有することにより、第２のタッチセンサを指紋認証などのための補助入力手段として用いる技術が開示されている。
【先行技術文献】
【特許文献】
【０００５】
【特許文献１】特開２００７−０７９１５７号公報
【特許文献２】特開２００７−１４１０２９号公報
【発明の概要】
【発明が解決しようとする課題】
【０００６】
しかし上記特許文献１の構成にあっては、アプリケーション動作画面を（収納時の）装置サイズに比して大きくすることはできるものの、単に表示面積を増やしたに過ぎない。また特許文献２の構成にあっては、従来利用されていなかった裏面に入力手段を配置してはいるものの、裏面の入力手段を表面の入力手段の補助として用いて操作性の向上を図ったに過ぎない。すなわち、表示領域の大画面化と操作性の向上といった相反する要請に応えるものではない。
【０００７】
さらに、これらにおいては、ユーザの操作と充分な連携性を有するユーザインターフェースが実現されているとは言い難い。例えば、データを送信する際のアクションにおいては、アイコンの表示、選択にとどまっており、依然として改善の余地がある。
【０００８】
本発明は、このような課題に鑑みてなされたものであり、表示領域の大画面化と操作性の向上を両立させるとともに、ユーザの操作と一体感があるユーザインタフェースを実現した携帯端末装置を提供することを目的とする。
【課題を解決するための手段】
【０００９】
上記課題を解決するために本発明にかかる携帯端末装置の代表的な構成は、所定の通信先にデータを送信可能な通信部と、データに基づく象徴画像を表示する表示部と、表示部に重畳されるタッチセンサと、タッチセンサにおける所定の摺動動作を検出して、通信部にデータを送信させる制御部と、を備えることを特徴とする。
【００１０】
上記所定の摺動動作とは、タッチセンサが象徴画像に重畳する領域での接触を検知した後、摺動が検知されると共に、摺動が離間する際のこの摺動の速度が所定速度以上であること、あるいはタッチセンサの検知可能領域外まで摺動が継続されたこととするとよい。
【００１１】
上記制御部は、表示部において、摺動と連動して象徴画像の表示位置を移動させてもよい。
【００１２】
上記制御部は、通信部にデータを送信させる場合に、象徴画像を摺動の離間する際の方向に向かって表示部の画面外へと消失させてもよい。
【００１３】
上記通信部は、赤外線通信を行う赤外線ポートを有し、制御部は、通信部にデータを送信させる場合に、象徴画像を赤外線ポートが配置された方向の画面外へと消失させてもよい。
【００１４】
上記制御部は、摺動の離間する際の方向が赤外線ポートが配置された方向以外だった場合、象徴画像を摺動の離間する際の方向に始動させた後、方向転換させて、赤外線ポートが配置された方向の画面外へと消失させてもよい。
【００１５】
表示部と赤外線ポートの相対的な位置関係を記憶したメモリをさらに備え、通信部は、赤外線通信を行う赤外線ポートを有し、制御部は、赤外線通信によりデータを送信させる場合に、予め所定の通信先とのネゴシエーション時に位置関係を交換して、自機および所定の通信先における位置関係に基づいて算出した方向に向かって、象徴画像を表示部の画面外へと消失させてもよい。
【００１６】
上記制御部は、通信部にデータを送信させる場合に、象徴画像を速度に基づき画面外へと消失させてもよい。
【００１７】
上記制御部は、データに摺動の離間する際の方向または速度、若しくは象徴画像の少なくとも１つを包含した付加情報を添付し、通信部に送信させてもよい。
【００１８】
当該携帯端末装置の位置情報あるいは日時情報を取得する取得部をさらに備え、制御部は、データの送信後に、表示部に位置情報あるいは日時情報を少なくとも１つを包含した消印画像を表示させてもよい。
【００１９】
上記制御部は、データに消印画像を包含した付加情報を添付し、通信部に送信させてもよい。
【００２０】
上記課題を解決するために本発明にかかる携帯端末装置の他の代表的な構成は、方向または速度の少なくとも１つと象徴画像を包含した付加情報が添付されたデータを所定の通信元から受信可能な通信部と、データの受信をユーザに表示する表示部と、受信に伴い付加情報を解析して、表示部に方向または速度に基づいて象徴画像の表示を行わせる制御部と、を備えることを特徴とする。
【発明の効果】
【００２１】
本発明によれば、表示領域の大画面化と操作性の向上を両立させるとともに、ユーザの操作と一体感があるユーザインタフェースを実現した携帯端末装置を提供することができる。
【図面の簡単な説明】
【００２２】
【図１】本実施形態にかかる携帯端末装置の外観を説明する６面図である。
【図２】本実施形態にかかる携帯端末装置の概略的な機能を示すブロック図である。
【図３】両手でタッチセンサを摺動する様子を示す図である。
【図４】アクティブなアプリケーションの切替に伴う表示部の表示画面を示す図である。
【図５】象徴画像の表示について説明する図である。
【図６】象徴画像の表示の移動について説明する図である。
【図７】データの送信工程および受信工程を説明する図である。
【図８】赤外線通信におけるデータの送信工程および受信工程を説明する図である。
【図９】赤外線通信における象徴画像の移動方向の他の例を示す図である。
【図１０】象徴画像の表示の移動を赤外線ポートが配置された方向とした場合の制御例を示す図である。
【図１１】データの送信工程および受信工程の他の例を説明する図である。
【図１２】データの送信工程の他の例を説明する図である。
【発明を実施するための形態】
【００２３】
以下に添付図面を参照しながら、本発明の好適な実施形態について詳細に説明する。係る実施形態に示す寸法、材料、その他具体的な数値等は、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また、本発明に直接関係のない要素は図示を省略する。
【００２４】
［外観構成］
図１は本実施形態にかかる携帯端末装置１００の外観を説明する６面図である。図１に示すように、携帯端末装置１００は、筐体の１つの面に配置された表示部１１０と、表示部１１０に重畳されるタッチセンサ１３０ａとを備えている。
【００２５】
本実施形態では、表示部１１０の反対側にさらに第２表示部１２０を設け、表示領域の大画面化を図っている。ただし、本実施形態において第２表示部１２０は必須では無い。
【００２６】
表示部１１０と第２表示部１２０とは長辺において湾曲し、それぞれが連接することによって筐体の外周を巻回するように配置されている。そして筐体の外形（表面においてはタッチセンサ１３０ａが外形を構成している）は、表示部１１０および第２表示部１２０が湾曲する方向を含む断面の形状が略楕円形となっている。すなわち表示部１１０と第２表示部１２０とによって全体的に平たい筒のような形状となっている。この筒の両端には、端部部材１１４、１１６が備えられている。
【００２７】
なお、略楕円形とは正確な楕円以外の形状も含む。例えば、端部が全体的に丸みを帯びた形状である主表面が平坦であって端部が半円を描く長丸形状、さらに長丸形状の主表面の中央部が膨出した形状、楕円形を短軸または長軸方向につぶした形状も略楕円形に含まれるものとする。
【００２８】
筐体の１つの側面に当たる端部部材１１４の端面には、音声出力部１４２、電源ボタン１４６、赤外線ポート２１４ａが備えられている。また、この端部部材１１４の端面と対向して配置される端部部材１１６の端面には、音声入力部１４４が備えられている。音声出力部１４２および音声入力部１４４を端部部材１１４、１１６の端面（筐体の側面）に配置することにより、通話する際には筐体の表裏に関係なく把持することができる。
【００２９】
さらに、端部部材１１４の第２表示部１２０と連接する面には、カメラ１４０が備えられている。表示部１１０、第２表示部１２０両方の画面にカメラ１４０の撮影対象を表示可能とすれば、表裏どちらの側からでも、画像を認識して撮影を行うことができる。
【００３０】
表示部１１０と端部部材１１４および端部部材１１６とのそれぞれの間の部分であって、筐体の短手方向の略中央部分には、筐体内部に配置されたステレオスピーカ１４８（図２参照）から発せられた音を、筐体外部へと出力するための放音口１５０ａ、１５０ｂがそれぞれ形成されている。
【００３１】
同様に、第２表示部１２０と端部部材１１４および端部部材１１６とのそれぞれの間の部分であって、筐体の短手方向の略中央部分には、筐体内部に設けられたステレオスピーカ１４８から発せられた音を、筐体外部へと出力するための放音口１５０ｃ、１５０ｄがそれぞれ形成されている。
【００３２】
放音口１５０ａ、１５０ｂ、１５０ｃ、１５０ｄには、ステレオスピーカ１４８から発せられた音を誘導する導音路（図示せず）が連結されており、それぞれより音を均等に発することが可能である。
【００３３】
［機能構成］
図２は本実施形態にかかる携帯端末装置１００の概略的な機能を示すブロック図である。図２に示すように、携帯端末装置１００は、機能構成要素として、上述した表示部１１０、第２表示部１２０、操作部１３０（タッチセンサ１３０ａ）、カメラ１４０、音声出力部１４２、音声入力部１４４、ステレオスピーカ１４８に加えて、制御部２００、通信部２１０、メモリ２３０、取得部２４０を含んで構成される。
【００３４】
制御部２００は、中央処理装置（ＣＰＵ）を含む半導体集積回路により携帯端末装置１００全体を管理および制御する。具体的には、メモリ２３０に記憶され得る様々なアプリケーション（タスク）等を用いて、通話機能、文字入力機能、音楽再生機能、ＴＶ視聴機能などを遂行する。制御部２００は、特に、表示制御部２０２、切替制御部２０４、送信制御部２０６を包含する。
【００３５】
表示制御部２０２は、表示部１１０および第２表示部１２０を制御する。換言すれば、表示部１１０、第２表示部１２０の画面に表示される画像を設定する。本実施形態においては、通常、タッチセンサ１３０ａを重畳する表示部１１０には少なくともアクティブなアプリケーション（入力対象たるアプリケーション）が表示される。そして、特に、そのアプリケーションが所定の通信先にデータを送信可能なアプリケーションであった場合、このデータに基づいた象徴画像１１２が画面内に表示され得る。
【００３６】
象徴画像１１２とは、送信するデータを象徴してユーザに視認させる画像を示す。具体的には、象徴画像１１２として、アイコン、サムネイル等を利用できる。この象徴画像１１２に対する所定の摺動動作が、送信制御部２０６のトリガ（引き金）となるが、詳細については後述するものとする。
【００３７】
また、表示制御部２０２は、通信部２１０によってデータが受信される際に、象徴画像１１２をポップアップ表示させる。なお、これについても、詳細は後述するものとする。
【００３８】
切替制御部２０４は、片手によりタッチセンサ１３０ａへ操作が行なわれた場合、その操作をアクティブなアプリケーションに送信する（現在の表示画面に対する入力操作）。また、両手でタッチセンサ１３０ａが摺動（スイープ）された場合に、アクティブなアプリケーションを切り替える。
【００３９】
図３は両手でタッチセンサ１３０ａを摺動する様子を示す図、図４はアクティブなアプリケーションの切替に伴う表示部１１０の表示画面を示す図である。図３（ａ）に示すように、両手でタッチセンサ１３０ａを摺動方向２０２ａに摺動すると、その方向に画像が連続的にスクロールして、アクティブなアプリケーションが所定のアプリケーションに切り替えられる。また、図３（ｂ）に示すように、タッチセンサ１３０ａを摺動方向２０２ｂに摺動すると、上記とは逆の方向に連続的にスクロールして、アクティブなアプリケーションが所定のアプリケーションに切り替えられる。
【００４０】
詳細には、図４に示すように、Ｐｈｏｎｅ（通話）、Ｍａｉｌ（メール）、ＩｒＤＡ（赤外線通信）、Ｎａｖｉ（ナビゲーション）、Ｃａｍｅｒａ（カメラ）、Ｍｅｄｉａ（メディア）といったアクティブなアプリケーションに切り替えられ得る所定のアプリケーションが予め設定される。そして、これらのアプリケーションが、順序を有して配列され、タッチセンサ１３０ａへの摺動方向２０２ａ、２０２ｂに対応して切り替えられる。
【００４１】
なお、切り替えられたアプリケーション（アクティブなアプリケーション）は、その起動アイコンをタップ（片手によるタッチセンサ１３０ａの操作）されることにより起動する。
【００４２】
送信制御部２０６は、タッチセンサ１３０ａにおける所定の摺動動作を検出して、通信部２１０に所定の通信先にデータを送信させる。かかる所定の摺動動作を、データを送信させる際のトリガ（引き金）とすることで、直感的な操作が可能となる。なお、本実施形態では、特に、象徴画像１１２に対して（タッチセンサ１３０ａの象徴画像１１２に重畳する部分に対して）所定の摺動動作が行われた場合を送信のトリガ（引き金）とする。
【００４３】
なお、本実施形態において所定の摺動動作とは、タッチセンサが象徴画像に重畳する領域での接触を検知した後、摺動（画面を擦る動作）が検知されると共に、この摺動が離間する際の摺動の速度が所定速度以上であること、あるいはタッチセンサの検知可能領域外まで摺動が継続されたことを意味する。上述した両手でのタッチセンサ１３０ａの摺動とこの所定の摺動動作との判断基準は、適宜設定してよく、例えば摺動の速度で判断してもよいし、両手か片手かで判断してもよい。
【００４４】
通信部２１０は、特定の通信方式を通じて、基地局２１０ａとの通信を確立し、または通信先の端末と直接ネゴシエーションすることにより、所定の通信先とのデータの送受信を行う。通信部２１０は、無線通信部２１２、赤外線通信部２１４、ＩＥＥＥ ８０２.１５.１[以下、特に、Ｂｌｕｅｔｏｏｔｈ２１６(登録商標)とする]、ＩＥＥＥ ８０２.１１諸規格（無線ＬＡＮ２１８）、ＩＥＥＥ ８０２.１５.４[以下、特に、ＺｉｇＢｅｅ２２０(登録商標)とする]を包含する。
【００４５】
無線通信部２１２は、ＣＤＭＡやＷｉＭＡＸ（Worldwide Interoperability for Microwave Access）といった通信方式を通じて基地局２１０ａとの通信を確立し、通信相手との音声通信やＷｅｂサーバとのデータ通信を遂行する。
【００４６】
赤外線通信部２１４は、赤外線（ＩｒＤＡ）通信によりデータの送受信を行う。赤外線は高い指向性を有し、この通信は赤外線ポート２１４ａを互いに向かい合わせて行われる。そのため、セキュリティ確保に好適な利点を有する。近年は、赤外線通信の伝送速度においても高速化が進んでいるため、赤外線通信は今後到来されるセキュリティ社会において急速な発展を成し得る可能性を内包している。
【００４７】
Ｂｌｕｅｔｏｏｔｈ２１６は、２.４ＧＨｚ帯の電波を用いて、機器間の通信を行う短距離無線通信技術である。通例、Ｂｌｕｅｔｏｏｔｈ２１６は、１０ｍから１００ｍ程度の機器間の接続に用いられ、障害物があっても通信可能である利点を有する。
【００４８】
無線ＬＡＮ２１８は、所定のアクセスポイントを通じて、当該携帯端末装置１００をインターネットに接続する。
【００４９】
ＺｉｇＢｅｅ２２０は、Ｂｌｕｅｔｏｏｔｈ２１６と同様に２．４ＧＨｚ帯の電波を用いて機器間の通信を行う短距離無線通信技術である。Ｂｌｕｅｔｏｏｔｈ２１６よりも省電力で低コストであり、アドホック通信によるメッシュネットワークを構成できる利点を有している。
【００５０】
メモリ２３０は、ＲＯＭ、ＲＡＭ、ＥＥＰＲＯＭ、不揮発性ＲＡＭ、フラッシュ記憶部、ＨＤＤ等で構成され、制御部２００で処理されるプログラムやその他のデータファイルを記憶する。具体的には、メモリ２３０には、象徴画像１１２や、アクティブなアプリケーションに切り替えられ得る所定のアプリケーションの変更テーブルなどが包含されている。
【００５１】
取得部２４０は、携帯端末装置１００の位置情報および日時情報を取得する。位置情報は、基地局２１０ａから送出されたおおまかな位置情報でもよいし、ＧＰＳを搭載することにより得た正確な位置情報でも勿論構わない。日時情報は内蔵された時計等により取得される。
【００５２】
表示部１１０および第２表示部１２０は、樹脂基板上にトランジスタを形成したＴＦＴ液晶ディスプレイ（Thin Film Transistor Liquid Crystal Display）、有機ＥＬディスプレイ（organic Electro Luminescence Display）、コレステリック液晶ディスプレイ（Cholesteric Liquid Crystal Display）等で構成され、ユーザにデータを出力する。
【００５３】
操作部１３０は、いわゆるデータ入力手段であり、キーボード、十字キー、ジョイスティック等の可動スイッチで構成される。本実施形態では、操作部１３０としてタッチセンサ１３０ａを包含する。
【００５４】
タッチセンサ１３０ａは、透明または半透明の素材で形成され、表示部１１０に重畳される。タッチセンサ１３０ａの接触の感知方法としては、圧力の変化を感知する感圧式と静電気による電気信号を感知する静電容量の２通りがある。
【００５５】
カメラ１４０は、筐体内部に配置され、任意の画像に対する撮影機能を担う。撮影された画像は、メモリ２３０に保存され得る。
【００５６】
音声出力部１４２はスピーカで構成され、携帯端末装置１００で受信した通話相手の音声信号を音声に変えて出力する。
【００５７】
音声入力部１４４はマイク等の音声認識装置で構成され、通話時に入力されたユーザの音声を携帯端末装置１００内で処理可能な電気信号に変換する。
【００５８】
ステレオスピーカ１４８は、着信音や、タッチセンサ１３０ａの操作音、ＴＶ音声、音楽、アラーム音等を出力する。
【００５９】
［送信動作］
図５は、象徴画像１１２の表示について説明する図である。ここでは、メールアプリケーションを例に挙げて説明する。図５（ａ）に示すように、象徴画像１１２を表示させるには、所定の通信先に送信するデータを作成（選択）する。これにより、図５（ｂ）、図５（ｃ）に示すような象徴画像１１２が表示部１１０に表示される。なお、図５（ｂ）は、アイコン形式の象徴画像１１２を示す例であり、図５（ｃ）はサムネイル形式の象徴画像１１２を示す例である。
【００６０】
図６は、象徴画像１１２の表示の移動について説明する図である。ここでは、図５（ｂ）の象徴画像１１２（アイコン形式）を例に挙げて説明する。図６（ａ）、（ｂ）、（ｃ）に示すように、象徴画像１１２の表示位置は、表示制御部２０２により、摺動と連動して移動される。換言すれば、ユーザの操作に伴い表示部１１０の表示が変動する。故に、ユーザの操作との連携性を向上させる効果を奏し得る。なお、図６に示す状態から、所定の摺動動作を行うことにより所定の通信先にデータが送信される。
【００６１】
図７は、データの送信工程および受信工程を説明する図である。ここでは、メールアプリケーションを例に挙げて説明する。また、以下、上述した携帯端末装置１００において、特にデータを送信する側を携帯端末装置１００ａ、データを受信する側を携帯端末装置１００ｂとして説明する。
【００６２】
（送信工程）
本実施形態にかかるデータの送信工程を説明する。まず、図７（ａ）に示すように、携帯端末装置１００ａにおいて象徴画像１１２が表示された部分に重畳するように、タッチセンサ１３０ａと接触する。
【００６３】
次に、図７（ｂ）に示すように、その状態から任意の方向へと所定の摺動動作を行う。これにより、データ（メールの本文データや画像データ等の実体データ）に、摺動の離間する際の方向（上記任意の方向）、摺動の速度（タッチセンサ１３０ａから離間する際の摺動の速度）、および象徴画像１１２の少なくとも１つを包含した付加情報が添付され、所定の通信先へ送信される。付加情報は、例えばデータ（実体情報）のヘッダに格納することができる。
【００６４】
また、図７（ｂ）に示すように、これに起因して表示部１１０には、象徴画像１１２を摺動の離間する際の方向に向かって画面外へと消失させるアニメーションが、表示制御部２０２により表示される。このアニメーションにおいて、象徴画像１１２が画面外へと消失する（移動する）速度は、摺動の速度（タッチセンサ１３０ａから離間する際の摺動の速度）に基づく。換言すれば、象徴画像１１２を強くはじくほど（上記速度が速いほど）、象徴画像１１２がより速く画面外へと消失する（移動する）。
【００６５】
（受信工程）
本実施形態にかかるデータの受信工程を説明する。まず、図７（ｃ）に示すように、携帯端末装置１００ｂにおいて、携帯端末装置１００ａ（通信元）から付加情報が添付されたデータを受信すると、表示制御部２０２により象徴画像１１２が表示部１１０にポップアップ表示される。この象徴画像１１２は、付加情報が包含する摺動の方向（通信元の装置においてタッチセンサ１３０ａが摺動された方向）から表示部１１０の画面内に出現する。そして、象徴画像１１２は、表示部１１０の中心に向かって移動する。このときの移動（出現）の速度は、付加情報が包含する摺動の速度（通信元の装置においてタッチセンサ１３０ａから離間する際の摺動の速度）に基づく。
【００６６】
次に、図７（ｄ）に示すように、象徴画像１１２が表示部１１０の中心に達すると、アニメーション（象徴画像１１２の移動）が終了する。ここで、象徴画像１１２をタップ（片手によるタッチセンサ１３０ａの操作）することにより受信した実体データを表示することができる。
【００６７】
上述したように、携帯端末装置１００ａにおいては、送信するデータを示す象徴画像に接触して所定の摺動動作を行うことで、はじいた方向に見合ったアニメーションが表示されるとともに、はじいた方向等を示唆する付加情報が通信先に添付され送信される。そして、携帯端末装置１００ｂにおいては、受信に際して、この付加情報に基づいたアニメーションが表示される。故に、ユーザの操作との一体感、連携性を向上させる。すなわち、ユーザの操作と一体感があるユーザインタフェースを実現することが可能となる。
【００６８】
なお、上記ではメールアプリケーションを例に挙げて説明したが、当然これに限らず、音声通信、赤外線通信、Ｂｌｕｅｔｏｏｔｈ、無線ＬＡＮ、ＺｉｇＢｅｅ等を利用したアプリケーションにも同様に適用できる。
【００６９】
また、携帯端末装置１００ｂにおいて、データ（実体情報）の受信に際して付加情報に基づいた表示を行う手法としては、上記のように通信元（携帯端末装置１００ａ）にて付加情報をヘッダに格納することによりデータ（実体情報）よりも先に付加情報を受信させてもよいが、表示部１１０の表示自体を遅延させても当然よい。
【００７０】
また、携帯端末装置１００ｂにおいて、上記では筐体に対して（筐体を基準として）はじかれた方向から、象徴画像１１２を出現させているが、通信元（携帯端末装置１００ａ）の位置情報に基づく方向から象徴画像１１２を出現させてもよい。詳しくは、例えば、東京にいる携帯端末装置１００ａのユーザが、大阪にいる携帯端末装置１００ｂのユーザへとデータを送信した場合、携帯端末装置１００ｂでは象徴画像１１２を東方向から西方向へと移動するように出現させてもよい。なお、これらの方向は、例えば４方向（上下左右、東西南北等）、８方向など都合に応じて適宜、近似・分割して設定してよい。
【００７１】
また、携帯端末装置１００ａにおいて、上記のように摺動の離間する際の方向（上記任意の方向）、摺動の速度（タッチセンサ１３０ａから離間する際の摺動の速度）、および象徴画像１１２を付加情報に包含してもよいが、少なくともこの中のいずれかを包含すればよい。故に、象徴画像１１２は、各端末のメモリ２３０に記憶されたものなどで代替されてもよい。すなわち、各端末において象徴画像１１２を消失、移動、出現させるアニメーションは、付加情報に包含されてもよいし、メモリ２３０に記憶されたものでもよい。また、これに限らず、このアニメーションは、Ｗｅｂサーバ等を通じて取得されてもよい。
【００７２】
また、携帯端末装置１００ｂにおいて、上記のようにデータを受信した場合に、象徴画像１１２に関するアニメーションを表示させてもよいが、受信したデータを表示する場合に（実体データの開示）このアニメーションを表示させてもよい。
【００７３】
また、携帯端末装置１００ａにおいて、上記では象徴画像１１２と重畳する部分に接触して所定の摺動動作を行うことによりデータを送信するとしたが、これに限らない。タッチセンサ１３０ａが所定の摺動動作を検出した場合に、データを送信するようにしてもよい。
【００７４】
また、データを受信する側の携帯端末装置１００ｂにおいては、少なくとも表示部１１０と、制御部２００と、通信部２１０と、を備えればよく、タッチセンサ１３０ａ等は必須ではない。
【００７５】
図８は、赤外線通信におけるデータの送信工程および受信工程を説明する図である。赤外線通信は、互いに赤外線ポート２１４ａを向き合わせて行われ、ユーザが表示を視認する確立も高くなる。
【００７６】
以下、赤外線通信における送信工程および受信工程を説明する。携帯端末装置１００ａ、１００ｂは、それぞれ表示部１１０と赤外線ポート２１４ａの相対的な位置関係（位置関係データ）をメモリ２３０に保持している。
【００７７】
まず、図８（ａ）に示すように、赤外線通信においては通信元である携帯端末装置１００ａと通信先である携帯端末装置１００ｂとのネゴシエーション時に、互いのメモリ２３０に記憶された赤外線ポート２１４ａの位置関係（位置関係データ）を交換（送受信）する。これにより、互いに相手の端末が「どの向き」にあり、「どの程度の距離」離れているのか割り出すことができる。
【００７８】
次に、図８（ｂ）に示すように、携帯端末装置１００ａにおいて、表示された象徴画像１１２に対して所定の摺動動作を行う。このとき、互いの赤外線ポート２１４ａの位置関係から摺動の離間する際の方向、摺動の速度（タッチセンサ１３０ａから離間する際の摺動の速度）が特定される。そして、この方向・速度、および象徴画像１１２を包含した付加情報を添付したデータが、携帯端末装置１００ａから携帯端末装置１００ｂへと送信される。
【００７９】
これに伴い携帯端末装置１００ａの表示部１１０では、上記方向・速度に基づいて象徴画像１１２が移動するアニメーションが表示される。また、携帯端末装置１００ｂでは、受信した付加情報に基づき、どのような方向からどのくらいの速度で象徴画像１１２が移動してくるのか計算される。そして、この計算に則って、携帯端末装置１００ｂの表示部１１０にも象徴画像１１２が移動するアニメーションが表示される。すなわち、２つの端末の画面があたかも連接しているように（物理的に隣の端末に飛んでいくように）象徴画像１１２の表示が、送信側から受信側へと移動する。
【００８０】
このように隣の端末に象徴画像１１２が飛んで行くように見せることができるのは、ネゴシエーション時に上述した位置関係（位置関係データ）を交換（送受信）しているため、赤外線ポート２１４ａを基準として象徴画像１１２の表示部１１０上の位置を特定できるためである。すなわち、この位置関係から携帯端末装置１００ａにおいて象徴画像１１２が、画面外へ消失する際に移動する経路、およびその経路に伴う距離を赤外線ポート２１４ａに対する表示部１１０上の座標に基づき特定することができる。そのため、携帯端末装置１００ｂでは、携帯端末装置１００ａの表示部１１０上を象徴画像１１２が移動して画面外へと消失するまでの時間や方向（消失座標位置）を、付加情報に包含された速度、および位置関係から特定可能となるその経路に伴う距離や方向（消失座標位置）に基づき正確に算出することができ、対応した表示を行なうことができる。故に、あたかも物理的に隣の端末に飛んでいくような表示が可能となる。
【００８１】
次に、図８（ｃ）に示すように、象徴画像１１２が表示部１１０の中心に達すると、アニメーション（象徴画像１１２の移動）が終了する。ここで、象徴画像１１２をタップ（片手によるタッチセンサ１３０ａの操作）することにより受信したデータを表示することができる。
【００８２】
なお、図９は、赤外線通信における象徴画像１１２の移動方向の他の例を示す図である。上記のように、ネゴシエーション時に送信側と受信側のそれぞれにおいて、位置関係データを交換（送受信）している。したがって、双方の表示部の相対的な位置（姿勢）を知ることができる。すなわち双方の赤外線ポート２１４は通信する際には対向しており（携帯端末装置１００ｃの赤外線ポートは見えていない）、そしてそれぞれの端末において表示部と赤外線ポートとの位置関係がわかるのであるから、結果的に双方の表示部１１０の位置関係を知ることができる。
【００８３】
従って、例えば図９に示すように、送信側の携帯端末装置１００ａの表示部１１０における象徴画像１１２の初期位置から、携帯端末装置１００ｃの表示部１１０における到達位置に向かってまっすぐ象徴画像１１２を移動させることができる。すなわち、位置関係データには、それぞれの端末における表示部１１０と赤外線ポート２１４ａとの位置関係（距離と座標位置）を含ませる。送信側の携帯端末装置１００ａにおいては、この位置関係から象徴画像１１２が画面外へ消失する際に移動する経路、およびその経路に伴う距離を赤外線ポート２１４ａに対する表示部１１０上の座標に基づき特定することができる。一方、受信側の携帯端末装置１００ｃでは、携帯端末装置１００ａの表示部１１０から到達する象徴画像１１２の経路と、出現させるべきタイミングを算出することができる。これにより、あたかも物理的に隣の端末に飛んでいくような表示が可能となる。
【００８４】
故に、上述した構成によれば、赤外線通信においてはユーザが表示を視認する可能性が高いため、携帯端末装置１００ａから１００ｂへと象徴画像１１２が移動する速度を求め、送信側から受信側へとなめらかに移動させることで、ユーザの操作との一体感を確立し、延いては趣向性の向上効果をも奏し得る。
【００８５】
また、通信先の方向を一意に特定できるため、摺動の離間する際の方向に限らず象徴画像１１２を赤外線ポート２１４ａが配置された方向の画面外へと移動（消失）させることとしても、高い連携性を確保することができる。しかし、このような場合、摺動の離間する際の方向が、赤外線ポート２１４ａが配置された方向以外だと、ユーザの操作に反して象徴画像１１２が移動することになる。そこで、以下のような手法を採用してもよい。
【００８６】
図１０は、象徴画像１１２の表示の移動を赤外線ポート２１４ａが配置された方向とした場合の制御例を示す図である。まず、図１０（ａ）に示すように、摺動の離間する際の方向が、赤外線ポート２１４ａが配置された方向以外だった場合、象徴画像１１２はその方向へと始動する。次に、図１０（ｂ）に示すように、象徴画像１１２は赤外線ポート２１４ａが配置された方向へと徐々に方向転換する。そして、図１０（ｃ）に示すように、その方向にて画面外へと消失する。このような、象徴画像１１２の表示は、例えば、予めメモリ２３０に移動の方向に応じた、数パターンのアニメーションを記憶させることにより表示させることができる。
【００８７】
上述した構成によれば、赤外線通信において象徴画像１１２の移動する方向を１方向に限定しても連携性の低下を招くことがない。故に、簡易な構成でユーザの操作と一体感があるユーザインタフェースを実現できる。
【００８８】
図１１はデータの送信工程および受信工程の他の例を説明する図、図１２はデータの送信工程の他の例を説明する図である。本発明の主意は、ユーザの操作と一体感のあるユーザインタフェースを実現するために、所定の摺動動作をトリガ（引き金）としてデータを送信することにあり、かかる概念に包含される携帯端末装置は本発明の範疇内であると解される。そこで、以下他の例として、図１１、図１２を用いて、上述した表示部１１０の表示とは挙動が異なる送信工程および受信工程を説明する。まず、図１１を参照しながら、他の例の１つである送信工程および受信工程について説明する。
【００８９】
（送信工程）
まず、図１１（ａ）に示すように、携帯端末装置１００ａにおいて象徴画像１１２が表示された部分に重畳するように、タッチセンサ１３０ａと接触する。
【００９０】
次に、図１１（ｂ）に示すように、その状態から所定の摺動動作を行う。これにより、後述する消印画像２４２を包含した付加情報を添付したデータが、携帯端末装置１００ｂへと送信される。これに伴い、携帯端末装置１００ａの表示部１１０では、象徴画像１１２がポストへと投函されるアニメーションが表示される。摺動の離間する際の方向が、ポストの方向と異なる場合、上述したように象徴画像１１２を徐々に方向転換させて投函されるようにするとよい。
【００９１】
次に、図１１（ｃ）に示すように、携帯端末装置１００ａの表示部において、消印画像２４２が表示される。この消印画像２４２は、取得部２４０が取得した位置情報や日時情報を包含する。これにより、通信先と通信元において消印画像を共有できるため、双方に連帯感をもたらすことができる。
【００９２】
（受信工程）
まず、図１１（ｃ）に示すように、携帯端末装置１００ｂにおいて、携帯端末装置１００ａ（通信元）からデータを受信すると、表示制御部２０２により象徴画像１１２が表示部１１０にポップアップ表示される。詳しくは、ポストへの投函に対応して郵便として運ばれてくるアニメーションが表示される。
【００９３】
次に、図１１（ｄ）に示すように、象徴画像１１２が表示部１１０の中心に達すると、アニメーション（象徴画像１１２の移動）が終了する。
【００９４】
次に、図１１（ｅ）に示すように、携帯端末１００ｂにおいても付加情報に包含された消印画像２４２が表示される。
【００９５】
上述した構成によっても、ユーザの操作と一体感のある（所定の摺動動作に対応した）ユーザインタフェースを実現することができる。
【００９６】
次に、図１２を参照しながら、他の例の１つである送信工程について説明する。ここでは、携帯端末装置１００ａは、さらに指紋認証部２５０を備えるものとする。
【００９７】
（送信工程）
まず、図１２（ａ）に示すように、タッチセンサ１３０ａの一端に設けられた指紋認証部２５０と接触する。
【００９８】
次に、図１２（ｂ）に示すように、携帯端末装置１００ａにおいて象徴画像１１２が表示された部分に重畳するように、タッチセンサ１３０ａと接触する。
【００９９】
次に、図１２（ｃ）に示すように、その状態から所定の摺動動作を行う。これにより、後述する消印画像２４４を包含した付加情報を添付したデータが送信される。また、表示部１１０には、象徴画像１１２を摺動の離間する際の方向に向かって画面外へと消失させるアニメーションが、表示制御部２０２により表示される。
【０１００】
次に、図１２（ｄ）に示すように、携帯端末装置１００ａにおいて、消印画像２４４が表示される。この消印画像２４４には、取得部２４０が取得した位置情報や日時情報に加え、指紋認証部２５０により所有者本人と確認されたことが表示される。これによれば、通信先と通信元の双方に連帯感をもたらすだけではなく、他人がなりすましたデータの送信を識別することができ、次世代の電子認証システムとしての機能を果たし得る。
【０１０１】
以上、本発明の好適な実施形態について詳細に説明したが、本発明は係る実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０１０２】
本発明はタッチセンサをデータ入力手段とする携帯端末装置に利用可能である。
【符号の説明】
【０１０３】
１００（１００ａ、１００ｂ、１００ｃ）…携帯端末装置、１１０…表示部、１１２…象徴画像、１１４…端部部材、１１６…端部部材、１２０…第２表示部、１３０…操作部、１３０ａ…タッチセンサ、１４０…カメラ、１４２…音声出力部、１４４…音声入力部、１４８…ステレオスピーカ、１５０ａ、１５０ｂ、１５０ｃ、１５０ｄ…放音口、２００…制御部、２０２…表示制御部、２０２ａ、２０２ｂ…摺動方向、２０４…切替制御部、２０６…送信通信部、２１０…通信部、２１０ａ…基地局、２１２…無線通信部、２１４…赤外線通信部、２１４ａ…赤外線ポート、２１６…Ｂｌｕｅｔｏｏｔｈ、２１８…無線ＬＡＮ、２２０…ＺｉｇＢｅｅ、２３０…メモリ、２４０…取得部、２４２、２４４…消印画像、２５０…指紋認証部
【図１】
2010257259.tif 000003
【図２】
2010257259.tif 000004
【図３】
2010257259.tif 000005
【図４】
2010257259.tif 000006
【図５】
2010257259.tif 000007
【図６】
2010257259.tif 000008
【図７】
2010257259.tif 000009
【図８】
2010257259.tif 000010
【図９】
2010257259.tif 000011
【図１０】
2010257259.tif 000012
【図１１】
2010257259.tif 000013
【図１２】
2010257259.tif 000014